(57)【要約】【課題】  人体局部の洗浄時は、自動的に捨て水流路に切り替えて、人体局部の洗浄に余分な量の水を捨て、人体局部の非洗浄時は、自動的にノズル洗浄流路に切り替え、大量の水をノズル洗浄に用いる衛生洗浄装置を、安価で簡単な構成で実現する。【解決手段】  人体局部を洗浄する洗浄水を供給する主流路１１と、主流路１１から分岐した副流路１２を有し、副流路１２には、人体局部への洗浄に余分な量の水を排水するための捨て水流路２０と、局部洗浄ノズルを洗浄水で洗浄するためのノズル洗浄流路２１と、捨て水流路２０とノズル洗浄流路２１を切り替えるためのスプール弁２２とを有し、スプール弁２２は、主流路１１内の水圧の変化を用いて自動的に流路を切り替える。【選択図】  図１
2005083063.tif 000002
【特許請求の範囲】
【請求項１】
人体局部へ洗浄水を吐出する局部洗浄ノズルと、前記局部洗浄ノズルに洗浄水を供給する主流路と、前記主流路より分岐し、前記局部洗浄ノズルを洗浄水により洗浄するためのノズル洗浄流路と、前記局部洗浄ノズルの非洗浄への切替による主流路の水圧変化により、前記主流路をノズル洗浄流路に接続する流路切替弁を備えた衛生洗浄装置。
【請求項２】
人体局部を洗浄する洗浄水を供給する主流路と、前記主流路と連通し人体局部へ洗浄水を吐出する局部洗浄ノズルと、前記局部洗浄ノズルの上流に設け、人体局部への洗浄水量を変化させる流量調節弁と、前記流量調節弁の上流において前記主流路から分岐した副流路と、前記副流路に連通し、人体局部の洗浄に余分な量の水を排水する捨て水流路および前記局部洗浄ノズルを洗浄水により洗浄するためのノズル洗浄流路と、前記主流路内の水圧の変化により、前記副流路を前記捨て水流路から前記ノズル洗浄流路に切り替える流路切替弁とを備えた衛生洗浄装置。
【請求項３】
主流路における局部洗浄ノズルの上流に、水を加圧して送り出す加圧ポンプを設けた請求項１または請求項２に記載の衛生洗浄装置。
【請求項４】
流路切替弁は、主流路と副流路を分岐する分岐部を兼ねる構成とした請求項１から３のいずれか１項に記載の衛生洗浄装置。
【請求項５】
流路切替弁は、スプール弁である請求項１から４のいずれか１項に記載の衛生洗浄装置。
【請求項６】
スプール弁は、主流路に連通する加圧流路を有し、前記加圧流路の水圧の変化により流路を切り替える請求項５に記載の衛生洗浄装置。
【請求項７】
主流路は、局部洗浄ノズルの上流において水を加圧して送り出す加圧ポンプを設け、スプール弁はその加圧流路と連通している部分と対向する部分に、前記主流路における前記加圧ポンプの上流部と連通する戻し流路を連通した請求項６に記載の衛生洗浄装置。
【請求項８】
流路切替弁は内部にバネを有し、前記バネの力によって流路の切り替えを行う請求項１から７のいずれか１項に記載の衛生洗浄装置。
【請求項９】
主流路は、人体局部を洗浄する洗浄水を加熱する加熱手段を有し、前記主流路と副流路との分岐部は、前記主流路における前記加熱手段の上流に設けた請求項１から８のいずれか１項に記載の衛生洗浄装置。
【請求項１０】
主流路は、人体局部を洗浄する洗浄水を加熱する加熱手段を有し、加圧流路は前記主流路における前記加熱手段の上流に設けた請求項６から９のいずれか１項に記載の衛生洗浄装置。
【請求項１１】
流路切替弁は、その上流にイオン交換樹脂を設けた請求項１から１０のいずれか１項に記載の衛生洗浄装置。
【請求項１２】
加圧流路にイオン交換樹脂を設けた請求項６から１１のいずれか１項に記載の衛生洗浄装置。
【請求項１３】
主流路に設け、人体局部を洗浄する洗浄水を加熱する加熱手段と、加熱された洗浄水を用いて局部洗浄ノズルを洗浄するノズル温水洗浄流路と、前記加熱手段の下流における主流路に設けた第２の流路切替弁とを有し、第２の流路切替弁は、前記局部洗浄ノズルと前記ノズル温水洗浄流路の流路を切り替える請求項１から１２のいずれか１項に記載の衛生洗浄装置。
【発明の詳細な説明】
【技術分野】
【０００１】
本発明は、用便後の人体の局部を洗浄ノズルにより洗浄し、かつ局部洗浄ノズルの汚れを洗浄する衛生洗浄装置に関するものである。
【背景技術】
【０００２】
従来、この種の衛生洗浄装置は、洗浄水を加熱手段によって加熱して４０℃前後に沸き上げ、この温水を局部洗浄ノズルから用便後の人体局部に向けて噴出することで人体局部を洗浄するものである。そして衛生洗浄装置では、人体局部の洗浄時に、局部洗浄ノズルは人体局部の近傍から洗浄水を噴出させて人体局部を洗浄するので、局部洗浄ノズルに汚水が付着しやすい。
【０００３】
そこで、局部洗浄ノズルに洗浄水を供給する洗浄水流路から分岐してノズル洗浄水流路を設け、このノズル洗浄水流路から局部洗浄ノズルの先端部に洗浄水をかけてノズル洗浄することが一般的に行われている。このようなノズル洗浄は、人体局部洗浄の前もしくは後に加熱手段によって加熱された洗浄水を利用し、ノズル洗浄水流路から加熱された洗浄水を局部洗浄ノズルにかけて汚水や汚物を洗い流すものである（例えば特許文献１参照）。
【０００４】
しかし、上記した局部洗浄ノズルの洗浄では、一般家庭で使用できる電力量に制限があることから、洗浄水を加熱手段で大量に加熱して、局部洗浄以外の局部洗浄ノズルの洗浄に使用することができないため、少量のノズル洗浄水となり、水の勢いによる物理的な局部洗浄ノズルの汚れ除去効果を得ることができなかった。
【０００５】
そこで、局部洗浄ノズルに洗浄水を供給する、加熱手段の上流における主流路から分岐して、局部洗浄ノズルを洗浄水により洗浄するためのノズル洗浄流路を設け、主流路内の流量調節弁を閉止状態にさせることで、ノズル洗浄流路から大量の水を吐出することにより、物理的な局部洗浄ノズルの汚れ除去効果によって局部洗浄ノズルを洗浄する構成が考えられる（例えば特許文献２参照）。
【０００６】
また、このような構成は人体局部の洗浄時には人体局部の洗浄に余分な量の水をノズル洗浄流路から排水させることで、主流路内に過剰な水圧がかからないようにしている。
【０００７】
図６は、前記特許文献２に記載された従来の衛生洗浄装置を示すものである。水道管等に接続され、局部洗浄ノズル１に洗浄水を供給する主流路２には、洗浄水を加熱する加熱手段３、流量調節弁４等が設けられ、さらに流量調節弁４の上流における主流路２から分岐し、人体局部の洗浄時には洗浄に余分な量の水を排水させるノズル洗浄流路５を設けている。
【０００８】
しかしながら、前記従来の構成では、局部洗浄ノズル１より局部に向かって洗浄水を吐出させている人体局部の洗浄時にも、ノズル洗浄流路５から洗浄水を噴出して局部洗浄ノズル１にふりかけているため、局部洗浄ノズルから汚れ落ちた汚水が、局部に向かって局部洗浄ノズル１より吐出させている洗浄水に混じるのではないかと不安がられるため衛生的でないという問題を有していた。
【０００９】
また、このような事態を避けるため人体局部の洗浄時は、ノズル洗浄流路５から局部洗浄ノズルを洗う洗浄水が吐出されないように電磁切替弁６などを用いることが考えられるが、この場合、電磁切替弁が高コストであるとともに、電磁切替弁の人体局部の洗浄時、非洗浄時に同期した制御を行わねばならなく制御が複雑になるという問題が起こる。
【特許文献１】実開昭６１−１５５４７８号公報
【特許文献２】特開平５−１１８０７５号公報
【発明の開示】
【発明が解決しようとする課題】
【００１０】
上記背景技術の問題点に鑑み、本発明が解決しようとする課題は、簡単な構成で以って洗浄水を充分に使用して局部洗浄ノズルを洗浄できる衛生洗浄装置を提供することにある。
【課題を解決するための手段】
【００１１】
上記目的を達成するために、本発明の衛生洗浄装置は、人体局部へ洗浄水を吐出する局部洗浄ノズルと、前記局部洗浄ノズルに洗浄水を供給する主流路と、前記主流路より分岐し、前記局部洗浄ノズルを洗浄水により洗浄するためのノズル洗浄流路と、前記局部洗浄ノズルの非洗浄への切替による主流路の水圧変化により、主流路をノズル洗浄流路に接続する流路切替弁を備えたものである。
【００１２】
これにより、流路切替弁は局部洗浄ノズルによる洗浄から洗浄停止である、非洗浄への切替による主流路の水圧変化により作動し、主流路からノズル洗浄流路に導いた多量の洗浄水により、局部洗浄ノズルを効果的に洗浄できるとともに、その構成を簡単にでき、かつノズル洗浄を人体局部の非洗浄中に行うことになり、極めて衛生的にできる。
【００１３】
また本発明は、主流路から分岐した副流路を有し、副流路は、人体局部への洗浄に余分な量の水を排水するための捨て水流路と、局部洗浄ノズルを洗浄水により洗浄するためのノズル洗浄流路とで構成し、前記捨て水流路と前記ノズル洗浄流路を切り替えるための流路切替弁を設け、前記流路切替弁は、前記主流路の水圧の変化を利用して流路を切り替えるものである。
【００１４】
これによって、流路切替弁は人体局部の洗浄時には、主流路の水圧が高くなることを利用して自動的に捨て水流路に切り替え、人体局部の洗浄に余分な量の水を捨てることで、主流路内に過剰な水圧がかかることを防ぎ、また人体局部の非洗浄時には、主流路の水圧が低くなることを利用してノズル洗浄流路に切り替え、大量の水をノズル洗浄に用いることで局部洗浄ノズルの物理的な汚れ除去効果を得ることができ、かつ高コストで制御を複雑にする電磁切替弁などを用い無くても、簡単な構成で実現することが可能となる。また、ノズル洗浄を人体局部の非洗浄中に行うため、極めて衛生的である。
【発明の効果】
【００１５】
以上のように本発明によれば、大量の水をノズル洗浄に使用して局部洗浄ノズルの物理的な汚れ除去効果を得ることができるとともに、高コストで制御を複雑にする電磁切替弁などを用いずに、簡単な構成で実現することができる。
【発明を実施するための最良の形態】
【００１６】
第1の発明は、人体局部へ洗浄水を吐出する局部洗浄ノズルと、前記局部洗浄ノズルに洗浄水を供給する主流路と、前記主流路より分岐し、前記局部洗浄ノズルを洗浄水により洗浄するためのノズル洗浄流路と、前記局部洗浄ノズルの非洗浄への切替による主流路の水圧変化により、前記主流路をノズル洗浄流路に接続する流路切替弁を備えた衛生洗浄装置である。
【００１７】
これによれば、流路切替弁は局部洗浄ノズルによる洗浄から洗浄停止である、非洗浄への切替による主流路の水圧変化により作動し、主流路からノズル洗浄流路に導いた大量の洗浄水により、局部洗浄ノズルを効果的に洗浄できるとともに、その構成を簡単にでき、かつノズル洗浄を人体局部の非洗浄中に行うことが可能になり、極めて衛生的にできる。
【００１８】
第２の発明は、人体局部を洗浄する洗浄水を供給する主流路と、前記主流路と連通し人体局部へ洗浄水を吐出する局部洗浄ノズルと、前記局部洗浄ノズルの上流に設け、人体局部への洗浄水量を変化させる流量調節弁と、前記流量調節弁の上流において前記主流路から分岐した副流路と、前記副流路に連通し、人体局部の洗浄に余分な量の水を排水する捨て水流路および前記局部洗浄ノズルを洗浄水により洗浄するためのノズル洗浄流路と、前記主流路内の水圧の変化により、前記副流路を前記捨て水流路から前記ノズル洗浄流路に切り替える流路切替弁とを備えた衛生洗浄装置である。
【００１９】
これによれば、流路切替弁は人体局部の洗浄時には、主流路内の水圧が高くなることを利用して自動的に捨て水流路に切り替え、人体局部の洗浄に余分な量の水を捨てることで、主流路内に過剰な水圧がかかることを防ぎ、一方、人体局部の洗浄から洗浄停止への切替である非洗浄時には、主流路内の水圧が低くなることを利用して自動的にノズル洗浄流路に切り替えて、大量の水をノズル洗浄に用いることが可能になり、局部洗浄ノズルの物理的な汚れ除去効果を得ることができるとともに、高コストで制御を複雑にする電磁切替弁などを用いずに、簡単な構成で実現することができる。また、ノズル洗浄を人体局部の非洗浄中に行うため、局部洗浄ノズルから汚れ落ちた汚水が、局部に向かって局部洗浄ノズルより吐出させている洗浄水に混じるのではないかという心配もなくなり、極めて衛生的にできる。
【００２０】
第３の発明は、第１または第２の発明における衛生洗浄装置の主流路に、洗浄ノズルの上流に位置して、洗浄水を加圧して送り出す加圧ポンプを設けたことにより、加圧された洗浄水によって、人体局部への洗浄力の向上または使用者の洗浄感を向上させることが可能になるだけでなく、主流路内の水圧の変化を顕著にすることができるので、流路切替弁の安定した流路切り替えを可能にできる。
【００２１】
第４の発明は、第１から第３の発明のいずれかにおける衛生洗浄装置の流路切替弁が、主流路と副流路を分岐する分岐部を兼ねる構成としたことにより、部品点数を削減することができるので、コスト性、組み立て性を向上させることができる。
【００２２】
第５の発明は、第１から第４の発明のいずれかにおける衛生洗浄装置の流路切替弁がスプール弁であることによって、簡単な構成で安定した流路切り替えが可能となる。また、簡単な構成で複数の流路を切り替えることができるので、容易に流路切替弁が主流路と副流路の分岐部を兼ねる構成とすることができる。
【００２３】
第６の発明は、第５の発明の衛生洗浄装置において、スプール弁は、主流路に連通する加圧流路を有し、前記加圧流路の水圧の変化により流路を切り替えることで、主流路内の水圧の変化が直接、加圧流路を通じてスプール弁に送られるため、安定した流路切り替えが可能になる。
【００２４】
第７の発明は、第６の発明の衛生洗浄装置において、主流路は、局部洗浄ノズルの上流において水を加圧して送り出す加圧ポンプを設け、スプール弁はその加圧流路と連通している部分と対向する部分に、前記主流路における前記加圧ポンプの上流部と連通する戻し流路を連通したことにより、人体局部の洗浄中は主流路が負圧になるため、戻し流路を通じてスプール弁から主流路に水が流れる。この流れによって、加圧流路からの水圧で流路切替弁を切り替えようとする力と同じ方向に力が加わるため、より確実に流路切り替えを行うことができる。
【００２５】
第８の発明は、第１から第７の発明のいずれかにおける衛生洗浄装置の流路切替弁は、内部にバネを有し、前記バネの力によって流路の切り替えを行うことにより、多少のスケール付着に対してもバネの力で流路切り替えが可能となるため、耐久性、信頼性を向上させることができる。
【００２６】
第９の発明は、第１から第８の発明のいずれかにおける衛生洗浄装置の主流路に、人体局部を洗浄する洗浄水を加熱する加熱手段を設け、前記主流路と副流路との分岐部は、前記主流路における前記加熱手段の上流に設けたことにより、加熱手段により加熱された水が流路切替弁を通らないため、流路切替弁のスケール付着量が大幅に減り、耐久性、信頼性を向上させることができる。
【００２７】
第１０の発明は、第６から第９の発明のいずれかにおける衛生洗浄装置の主流路に、人体局部を洗浄する洗浄水を加熱する加熱手段を設け、加圧流路は前記主流路における前記加熱手段の上流に設けたことにより、加熱手段により加熱された水が加圧流路を通って流路切替弁に入り込まないため、流路切替弁のスケール付着量が大幅に減り、耐久性、信頼性を向上させることができる。
【００２８】
第１１の発明は、第１から第１０の発明のいずれかにおける衛生洗浄装置において、流路切替弁は、その上流にイオン交換樹脂を設けたことにより、イオン交換樹脂により洗浄水中に含まれるスケール成分が除去されるため、流路切替弁のスケール付着量が大幅に減るので、耐久性、信頼性を向上させることができる。
【００２９】
第１２の発明は、第６から第１１の発明のいずれかにおける衛生洗浄装置の加圧流路にイオン交換樹脂を設けたことにより、イオン交換樹脂により加圧流路を通って流路切替弁に入り込む水道水中に含まれるスケール成分が除去されるため、流路切替弁のスケール付着量が大幅に減り、耐久性、信頼性を向上させることができる。また、加圧流路内を流れる水は少量であるため、少量のイオン交換樹脂でスケール除去効果を得ることができる。
【００３０】
第１３の発明は、第１から第１２の発明のいずれかにおける衛生洗浄装置において、主流路に設け、人体局部を洗浄する洗浄水を加熱する加熱手段と、加熱された洗浄水を用いて局部洗浄ノズルを洗浄するノズル温水洗浄流路と、前記加熱手段の下流における主流路に設けた第２の流路切替弁とを有し、第２の流路切替弁は、前記局部洗浄ノズルと前記ノズル温水洗浄流路の流路を切り替えることにより、副流路を通るノズル洗浄流路からの大量の水の勢いによる物理的な力による局部洗浄ノズルの汚れ除去効果だけでなく、加熱手段によって加熱された温水で洗浄ノズルを洗うという熱の力を利用した汚れ除去効果をさらに得ることができる。
【００３１】
以上のように本発明の衛生洗浄装置は、第１から第１３の発明を実施の形態の要部とすることにより本発明の目的を達成できるので、以下には各請求項に対応する実施の形態の詳細を、図面を参照して説明し本発明を実施する最良の形態の説明とする。なお、各図において同一構成及び作用効果を奏するところには同一符号を付与して重複した説明を行わないものとする。
【００３２】
以下本発明の実施の形態について、図面を参照しながら説明する。
【００３３】
（実施の形態１）
図１は、本発明の実施の形態１における衛生洗浄装置の構成図である。図１において、１１は人体局部を洗浄する洗浄水を供給する主流路で、１２は分岐部１３によって主流路１１から分岐した副流路である。主流路１１は、水道管等に連通して、下流への水の流れを遮断できる止水手段としての電磁弁１４と、人体局部を洗浄するための洗浄水を加熱する加熱手段１５と、人体局部に洗浄水を吐出（噴出）する局部洗浄ノズル１６を有し、この局部洗浄ノズル１６の上流には、主流路１１を流れる洗浄水を加圧する加圧ポンプ１７を有している。
【００３４】
また、主流路１１の分岐部１３の直ぐ下流には、主流路１１を流れる洗浄水の流量を検出する流量センサ１８を有し、制御部（図示せず）は、流量センサ１８が検出した流量を元に、局部洗浄ノズル１６の直ぐ上流に設けた流量調節弁１９を動作させることで、所定流量の洗浄水を局部洗浄ノズル１６から人体局部に向けて吐出する構成となっている。
【００３５】
一方、副流路１２には、人体局部の洗浄時に余分な量の水を排水するための捨て水流路２０と、局部洗浄ノズル１６に洗浄水をかけて局部洗浄時に付着した汚れを洗い落とす洗浄可能なノズル洗浄流路２１と、人体局部の洗浄時には捨て水流路２０に、人体局部の洗浄から洗浄停止に切替えた非洗浄時には主流路１１の水圧変化によりノズル洗浄流路２１に自動的に流路を切り替える流路切替弁であるスプール弁２２を有している。
【００３６】
このスプール弁２２には、加圧ポンプ１７によって加圧された水を加圧室２３に送るための加圧流路２４と、加圧室２３と対抗する位置に設けられた戻し室２５と連通する戻し流路２６がそれぞれ連通し、バネ２７と流路を切り替えるためのコマ２８が設けられておる。
【００３７】
そして、スプール弁２２はコマ２８が加圧室２３に洗浄水の加圧が加わるとバネ２７に抗して下がり、前記加圧が加わらなくなるとバネ２７により上がり、すなわち加圧流路２４を介して加圧室２３に加わる主流路１１の圧力変化により矢印で示すように上下に移動することで、捨て水流路２０とノズル洗浄流路２１を切り替えている。
【００３８】
さらに、加圧流路２４は、主流路１１における加圧ポンプ１７の直ぐ下流と連通し、戻し流路２６は、主流路１１における分岐部１３の直ぐ下流と連通している。また、スプール弁２２の入口側に接続している副流路１２には、水道水中のスケール成分を除去することができるイオン交換樹脂２９が備えられている。
【００３９】
以上のように構成された衛生洗浄装置について、人体局部の洗浄時における動作と作用を、図２を用いて以下に説明する。
【００４０】
電磁弁１４が開放されると、水道水が主流路１１内に供給される。そして、主流路１１内に供給された洗浄水が、加熱手段１５によって所定の温度に加熱された後、加圧ポンプ１７によって加圧され、洗浄ノズル１６から人体局部に吐出されることで人体局部を洗浄するものである。この時に、加圧ポンプ１７は洗浄水を加圧しているので、人体局部への洗浄力を向上あるいは使用者の洗浄感を向上させることができ、少ない洗浄水量でも十分な洗浄力や洗浄感を得ることができる。
【００４１】
そして、人体局部の洗浄時には、主流路１１に洗浄水が流入することから、主流路１１内の水圧が高くなるため、主流路１１からスプール弁２２内の加圧室２３へ加圧流路２４を通って水が移動して高い圧力が加わり、スプール弁２２内のコマ２８が下方に移動し、捨て水流路２０を副流路１２に切替え接続する。この際、加圧流路２４を通じて直接、主流路１１内の水が流入するため、主流路１１内の水圧が高くなったことを確実に検知してコマ２８を下方に移動させ、捨て水流路２０を副流路１２へ確実に切り替えることができる。
【００４２】
また、本実施の形態では、加圧ポンプ１７を用いることで、加圧された洗浄水を加圧室２３へ送ることができるため、より強い水圧をコマ２８にかけることが可能となり、より確実な流路切り替えが可能となる。さらに、戻し流路２６の主流路１１側は、主流路１１を洗浄水が流通することで負圧となるため、戻し室２５から主流路１１側へ水が流れるため、コマ２８を下方に移動する方向に力がさらにかかり、一層確実な流路切り替えが行われる。
【００４３】
一方、副流路１２へは、人体局部の洗浄に余分な量の水が分岐部１３を通って流入してくる。この水は、イオン交換樹脂２９によってスケール成分が除去された後、スプール弁２２に流入する。ここで、スプール弁２２のコマ２８が下方に移動しているため、スプール弁２２に流入した水は、捨て水流路２０を通って便器（図示せず）に排水される。捨て水流路２０から人体局部の洗浄に余分な量の水を排水するため、人体局部への洗浄水量を減らした場合でも、人体局部の洗浄に余分な量の水が主流路１１内に溜まり、主流路１１内の水圧が過剰に高まることで起こる不具合（例えば加熱手段１５や加圧ポンプ１７の故障など）を防止することができる。
【００４４】
次に、局部洗浄に使用した局部洗浄ノズル１６の洗浄時の動作を、図３を用いて説明する。
【００４５】
局部洗浄ノズルの洗浄時には、加圧ポンプ１７の運転を停止させ人体局部の洗浄から洗浄停止に切替えた、いわゆる人体局部の非洗浄時にすると、加圧ポンプ１７が動作しないため、主流路１１内の水圧が下がり、加圧室２３へ水圧がかからなくなるので、バネ２７の復帰力によってコマ２８が上方に移動し、ノズル洗浄流路２１を副流路１２に切替え接続する。この際、スプール弁２２はバネ２７によりコマ２８を上方に移動させるので、多少のスケールがコマ２８に付着していても、バネ２７の力でコマ２８を確実に上方に移動させられ、ノズル洗浄流路２１を副流路１２に確実に切り替えることができ、耐久性、信頼性を向上させることができる。
【００４６】
この状態で、流量調節弁１９を閉止状態にして、電磁弁１４を開放させると、主流路１１は流量調節弁１９によって閉止されているため、全ての水道水は副流路１２へと流入する。そして、副流路１２に流入した水は、スプール弁２２内のコマ２８が上方に移動しているため、ノズル洗浄流路２１を通って洗浄ノズル１６に吐出される。
【００４７】
ノズル洗浄流路２１から吐出される洗浄水は、全水道水量を使用することができるため、水の勢いによる物理的な力で局部洗浄ノズル１６の汚れを除去することができる。なお、主流路１１から加圧流路２４および戻し流路２６を通り、加圧室２３および戻し室２５に流入する水の水圧は略等しいため、スプール弁２２内のコマ２８への影響はほとんど生じない。
【００４８】
通常、この種の流路切替弁は、水道水中に含まれるスケール成分が固着することで、流路切り替え動作が正常に行われないことがあるが、本実施の形態のように、流路切替弁であるスプール弁２２の上流にイオン交換樹脂２９を設け、スプール弁２２に流入する水道水中のスケール成分をイオン交換樹脂２９によって取り除くことで、スプール弁２２に付着するスケール量を大幅に減らすことができるため、耐久性、信頼性を大幅に向上することができる。なお、加圧流路２４中にもイオン交換樹脂を設けた場合には、加圧室２３内に流入する水道水中のスケール成分を除去することが可能となり、この場合、加圧流路２４を通る水の量が少ないため、イオン交換樹脂は少量でも構わない。
【００４９】
さらに、本実施の形態では、分岐部１３を加熱手段１５の上流に設けているため、加熱手段１５によって加熱される前の水が副流路１２を通ってスプール弁２２に流入することとなる。一般的にスケール成分は、水温が高いほど付着しやすいという特長があるため、本実施の形態のような構成とすることで、スケール付着量を減少させることができる。なお、加圧ポンプ１７と加圧流路２４を加熱手段１５の上流に設けた場合には、加圧室２３に加熱された水が流入することが無くなるため、さらにスケール付着量を減少させることができる。
【００５０】
以上のように、本実施の形態においては、主流路の水圧の変化を利用して動作する流路切替弁により、主流路より分岐した副流路を、捨て水流路とノズル洗浄流路とに自動的に切り替えるので、すなわち人体局部の洗浄時には、主流路内の水圧が高くなることを利用して副流路に捨て水流路を切り替え接続し、人体局部の洗浄に余分な量の水を捨てることで、主流路内に過剰な水圧がかかることを防ぐことができ、一方、人体局部の非洗浄時には、主流路内の水圧が低くなることを利用して副流路にノズル洗浄流路を切り替え接続し、大量の水をノズル洗浄に用いて物理的な汚れ除去効果を得ることができ、かつ高コストで制御を複雑にする電磁切替弁などを用いずに、簡単な構成で実現することができる。また、ノズル洗浄を人体局部の非洗浄中に行うため、衛生的にできる。
【００５１】
（実施の形態２）
図４は、本発明の実施の形態２における衛生洗浄装置の構成図である。本実施の形態は、図４において、実施の形態１で説明した局部洗浄ノズル１６を洗うノズル洗浄流路２１の他に、加熱手段１５により加熱された洗浄温水を用いて局部洗浄ノズル１６を温水洗浄するためのノズル温水洗浄流路３１を設け、このノズル温水洗浄流路３１を加熱手段１５の下流に設けた第２の流路切替弁３０により、局部洗浄ノズル１６と切り替え接続して使用する構成にした点で、実施の形態１の発明と異なるものである。
【００５２】
以上のように構成された衛生洗浄装置について、以下その動作、作用を説明する。局部洗浄ノズル１６による人体局部の洗浄及びノズル洗浄流路２１による常温の洗浄水を使用した局部洗浄ノズル１６の洗浄の動作は、スプール弁２２により実施の形態１で説明したと同様の動作と作用で行われるものである。
【００５３】
そして、局部洗浄ノズル１６を温水で洗浄する場合は、主流路１１側を流れる洗浄水は、人体局部を洗浄する場合と同様に、加熱手段１５によって所定の温度に加熱された後、加圧ポンプ１７によって加圧され、第２の流路切替弁３０をノズル温水洗浄流路３１に切り替えることで、局部洗浄ノズル１６に向けてノズル温水洗浄流路３１より洗浄温水が吐出される。
【００５４】
この場合、洗浄水は加熱手段１５によって加熱されているため、熱の力で局部洗浄ノズル１６の汚れを除去することが可能となる。ここで、加熱された洗浄水の温度を５５℃以上にすることで、局部洗浄ノズル１６に付着する菌やカビを除菌することが可能となるため、局部洗浄ノズル１６をより清潔にすることができる。
【００５５】
以上のように局部洗浄ノズル１６を温水で洗浄を行う場合も、実施の形態１で説明した人体局部の洗浄時と同様な作用で、主流路１１を流通する洗浄温水の水圧変化でスプール弁２２内のコマ２８が下方に移動するため、局部洗浄ノズル１６の温水洗浄に余分な量の水を捨て水流路２０より排水できるため、局部洗浄ノズル１６の温水洗浄に余分な量の水が主流路１１内に溜まり、主流路１１内の水圧が過剰に高まることで起こる不具合を防止することができる。
【００５６】
以上のように、本実施の形態においては、副流路１２を通るノズル洗浄流路２１からの大量の水の勢いによる物理的な力による洗浄ノズル１６の汚れ除去効果だけでなく、加熱手段１５によって加熱された洗浄温水で洗浄ノズル１６を洗うことが可能になり、さらに熱の力を利用した汚れ除去効果を得ることができ、一層清潔にできる。
【００５７】
（実施の形態３）
図５は、本発明の実施の形態３における衛生洗浄装置の構成図である。本実施の形態は、図５において、流路切替弁であるスプール弁２２を、主流路１１と捨て水流路２０、ノズル洗浄流路２１が主流路１１から分岐する分岐部１３に設けた構成において、図１に示す実施の形態１の発明と異なるものである。
【００５８】
従って、スプール弁２２は図１に示す分岐部と副流路１２を兼ねる構成となり、部品点数を削減することができるので、コスト性、組み立て性を向上させることができる。また、本実施の形態では、流路切替弁としてスプール弁２２を用いているため、簡単な構成で複数の流路を形成できるため、容易に分岐部を兼ねる構成とすることができる。
【００５９】
なお、本実施の形態においても、衛生洗浄装置としての局部洗浄ノズル１６による人体局部の洗浄及びノズル洗浄流路２１による常温の洗浄水を使用した局部洗浄ノズル１６の洗浄の動作は、スプール弁２２により実施の形態１で説明したと同様の動作と作用で行われるものである。
【００６０】
すなわち、人体局部の洗浄時は、電磁弁１４を開いて洗浄水を主流路１１に流し、加圧ポンプ１７で加圧し、この主流路１１の圧力変化を検知したスプール弁２２内のコマ２８が下方に移動し、主流路１１を流れた洗浄水が流量調節弁１９を経て局部洗浄ノズル１６より吐出して人体局部を洗う。
【００６１】
一方、人体局部の洗浄に余分な量の水を捨て水流路２０を通じて便器（図示せず）に排水することができるため、主流路１１内に過剰な水圧がかかることを防止できる。また、局部洗浄ノズル１６の洗浄は、人体局部の非洗浄時に行われ、加圧ポンプ１７の運転停止による主流路１１の圧力変化を検知したスプール弁２２内のコマ２８が上方に移動するため、流量調節弁１９を閉止状態とすることで水道水の全流量をノズル洗浄流路２１から洗浄ノズル１６に向けて吐出することが可能になり、大量の水の勢いによる物理的な汚れ除去効果を得ることができる。
【００６２】
また、本実施の形態の場合でも、実施の形態２と同様に、加熱手段１５の下流に第２の流路切替弁と、加熱された洗浄水を用いて局部洗浄ノズル１６を温水洗浄するためのノズル温水洗浄流路とを設けることが可能である。
【００６３】
そして、ノズル洗浄流路２１からの大量の水の勢いによる物理的な力による局部洗浄ノズル１６の汚れ除去効果だけでなく、加熱手段１５によって加熱された温水で局部洗浄ノズル１６を洗う温水ノズル洗浄を行うことが可能となり、熱の力を利用した汚れ除去効果をさらに得ることができる。また、スプール弁２２の入口側に、図１に示すイオン交換樹脂２９を設けて洗浄水中のスケール成分を除去する構成も採用できるものである。
【産業上の利用可能性】
【００６４】
以上のように本発明の衛生洗浄装置は、多量の洗浄水で局部洗浄ノズルを洗う構成を簡単な構成で実現でき、建造物内のトイレ室の便器、搬送可能な便器に設置して使用でき、局部洗浄ノズルを清潔にする技術に適用できる。
【図面の簡単な説明】
【００６５】
【図１】本発明の実施の形態１における衛生洗浄装置の構成図
【図２】同実施の形態１における衛生洗浄装置の人体局部洗浄時の構成図
【図３】同実施の形態１における衛生洗浄装置の局部洗浄ノズルの洗浄時の構成図
【図４】本発明の実施の形態２における衛生洗浄装置の構成図
【図５】本発明の実施の形態３における衛生洗浄装置の構成図
【図６】従来の衛生洗浄装置の構成図
【符号の説明】
【００６６】
１１  主流路
１２  副流路
１３  分岐部
１５  加熱手段
１６  局部洗浄ノズル
１７  加圧ポンプ
１９  流量調節弁
２０  捨て水流路
２１  ノズル洗浄流路
２２  スプール弁（流路切替弁）
２４  加圧流路
２６  戻し流路
２７  バネ
２９  イオン交換樹脂
３０  第２の流路切替弁
３１  ノズル温水洗浄流路
【図１】
2005083063.tif 000003
【図２】
2005083063.tif 000004
【図３】
2005083063.tif 000005
【図４】
2005083063.tif 000006
【図５】
2005083063.tif 000007
【図６】
2005083063.tif 000008